(57)【要約】【課題】室外機からの風に対して近隣への配慮を図るとともにエクステリア性も向上させた空気調和機の室外機ユニットを提供するものである。【解決手段】室外機の吸気口に沿って配設された熱交換器と、前記熱交換器の前面に位置し、前記吸気口から熱交換器を介して吸込んだ空気を前記室外機の前面側へ送風する軸流ファンと、前記軸流ファンの外周を取り囲むように前面側に取り付けられたベルマウスと、前記軸流ファンの中心部へと略円錐形状で延伸するエアガイダーと、前記室外機の前面に前記室外機本体と所定の間隔を保持して配設された通気口を有さない前面パネルとを具備し、前記ベルマウスは吸込み側の形状を全周にわたって軸流ファン側へ膨らませるとともに前面上流側へ向かって次第に径に広がりを持ったことを特徴とする空気調和機の室外機。【選択図】  図２
2004278846.tif 000002
【特許請求の範囲】
【請求項１】
室外機の吸気口に沿って配設された熱交換器と、前記熱交換器の前面に位置し、前記吸気口から熱交換器を介して吸込んだ空気を前記室外機の前面側へ送風する軸流ファンと、前記軸流ファンの外周を取り囲むように前面側に取り付けられたベルマウスと、前記軸流ファンの中心部へと略円錐形状で延伸するエアガイダーと、前記室外機の前面に前記室外機本体と所定の間隔を保持して配設された通気口を有さない前面パネルとを具備し、前記ベルマウスは吸込み側の形状を全周にわたって軸流ファン側へ膨らませるとともに前面上流側へ向かって次第に径に広がりを持ったことを特徴とする空気調和機の室外機。
【請求項２】
前記エアガイダーは吸音特性を有する材料または吸音特性を有する材料で表面被覆して構成されることを特徴とする請求項１に記載の空気調和機の室外機。
【請求項３】
前記エアガイダーは撥水性を有する材料または撥水加工された材料で表面被覆して構成されることを特徴とする請求項１に記載の空気調和機の室外機。
【請求項４】
前記エアガイダーは発泡ポリプロピレンを主体とした材料で構成されることを特徴とする請求項１に記載の空気調和機の室外機。
【発明の詳細な説明】
【０００１】
【発明の属する技術分野】
本発明は、セパレートタイプの空気調和機の室外機に対して送風回路構成に関するものである。
【０００２】
【従来の技術】
一般的なセパレートタイプの空気調和機の室外機ユニット正面図を図７に、側面図を図８に、上面からの構成図を図９に示す。室外機はユニット本体の前面パネルに大きなメッシュ状の通気口を具備している。そして後部に位置する熱交換器を介して吸込んできた空気を、プロペラ形状をした軸流ファンで室外機のほぼ前面方向へまっすぐに吹出すような送風回路構造となっていた。
【０００３】
【発明が解決しようとする課題】
しかしながら、近年都市部において隣接した住宅に設置された場合には、空気調和機冷房運転時に室外機からの温風が隣家から来るので自宅の窓が開放できない等のクレームがでる場合がある。また、一般的な戸建て住宅でもエクステリア的な観点から、従来の一般的な室外機が見苦しいために木製工具でわざわざ囲いを作製して、外から室外機を目立たなくしている場合も見受けられる。
【０００４】
本発明は、このような市場要望に対して、近隣への室外機吹出し風に対して配慮を図るとともに室外機のエクステリア性も向上させた空気調和機の室外機ユニットを提供するものである。
【０００５】
【課題を解決するための手段】
請求項１記載の本発明の空気調和機の室外機は、室外機の吸気口に沿って配設された熱交換器と、前記熱交換器の前面に位置し、前記吸気口から熱交換器を介して吸込んだ空気を前記室外機の前面側へ送風する軸流ファンと、前記軸流ファンの外周を取り囲むように前面側に取り付けられたベルマウスと、前記軸流ファンの中心部へと略円錐形状で延伸するエアガイダーと、前記室外機の前面に前記室外機本体と所定の間隔を保持して配設された通気口を有さない前面パネルとを具備し、前記ベルマウスは吸込み側の形状を全周にわたって軸流ファン側へ膨らませるとともに前面上流側へ向かって次第に径に広がりを持ったことを特徴とする。
【０００６】
【発明の実施の形態】
第１の発明の実施の形態における空気調和機の室外機は、室外機の吸気口に沿って室外機に配設された熱交換器と、前記熱交換器の前面に位置し、前記吸気口から熱交換器を介して吸込んだ空気を室外機本体の前面側へ送風する軸流ファンと、前記軸流ファンの外周を取り囲むように前面側に取り付けられたベルマウスと、前記軸流ファンの中心部へと略円錐形状で延伸するエアガイダーと、室外機本体へ前面に室外機本体と所定の間隔を保持して配設された通気口を有さない前面パネルとを具備し、前記ベルマウスは吸込み側の形状を全周にわたって軸流ファン側へ膨らませるとともに前面上流側へ向かって次第に径に広がりを持ち、前記軸流ファンからの空気は前面パネルに固定支持されたエアガイダーによって室外機本体の上下左右方向へと排出する。上記構成により、熱交換器を介して吸込んだ空気を軸流ファンで送風する際、室外機本体と所定の間隔を保持して配設された前面パネルに固定支持された略円錐形状のエアガイダーによって上下左右方向へと吹き分けでき、密集した住宅でも直接的に隣へと温風が吹出すことはなく、壁面に沿った方向へと吹出すことができる。また室外機の前面パネルをフラットパネルにすることでたとえば個別住宅と融合できるような色彩に変更したり、装飾加工、シール加工することも可能となる。
【０００７】
第２の発明の実施の形態における空気調和機の室外機は、前記エアガイダーが吸音特性を有する材料または吸音特性を有する材料で表面被覆して構成される。エアガイダーとして吸音特性を有する材料で構成するまたは吸音特性を有する材料で表面被覆して構成されることによって、上下左右方向へと風を吹き分けする時の騒音レベルを低減することができた。
【０００８】
第３の発明の実施の形態における空気調和機の室外機は、前記エアガイダーが撥水性を有する材料または撥水加工された材料で表面被覆して構成される。エアガイダーとして撥水性を有する材料または撥水加工された材料で表面被覆して構成することによって、熱交換された冷たい風が長時間にわたって風下に位置するエアガイダーと接触するため結露した水が氷結しやすくなるが、それを防止することができる。
【０００９】
第４の発明の実施の形態における空気調和機の室外機は、前記エアガイダーが発泡ポリプロピレンを主体とした材料で構成される。上記構成により、発泡ポリプロピレンによって優れた吸音特性が得られるととも表面の撥水化も容易に行うことができた。
【００１０】
【実施例】
以下本発明の実施例について図面を参照しながら説明する。
【００１１】
（実施例１）
図１は、本実施例を示す空気調和機の室外機ユニット正面図を、図２に側面図を、図３に上面からの構成図を示す。１が前面パネルであり、通気口を有さないフラットなパネルがＰＣＭ鋼鈑によって構成されている。２はユニット本体であり、３は前面パネルをユニット本体と連結する支持部であり、支持部３は前面パネル１と溶接され、ユニット本体２とはビス止めされている。４がエアガイダーであり、前面パネル１に接着固定され、略円錐形状を有している。エアガイダー４は粒状のポリプロピレン樹脂を焼結成形して多孔質な略円錐形状とした。５は熱交換器であり、ユニット本体２内部の後面部にＬ字形状をして配設されている。６はプロペラ形状をした軸流ファンであり、熱交換器５からの吸込んだ風を前面側へと送風する構成となっている。７はベルマウスであり、円形状をした吸込み側を全周にわたって軸流ファン側へ膨らませるとともに前面上流側へ向かって次第に径に広がりを持つような構成となっている。その結果、軸流ファン６からの空気はベルマウス７を介して、前面パネル１に固定支持されたエアガイダー４によって導かれながら、上下左右方向に吹き分けられ、最終前面パネル１とユニット本体２とで構成される空間部を通過して、ユニット本体２の上下左右方向へと熱交換された風を排出することになる。この時風の向きを大きく変更することになるので従来と比較すると騒音レベルが悪くなってしまう。
【００１２】
したがって、エアガイダーの材料としては吸音特性に優れたものを使用することが好ましい。具体的には本実施例のようなポリプロピレンの焼結体、あるいは発泡成形したポリプロピレン等が使用できる。またエアガイダーの表面部に２〜３ｍｍ程度のポリプロピレン不織布あるいはポリプロピレン発泡体を被覆したようなものも使用できる。
【００１３】
また冬場には熱交換された冷却風がエアガイダーに長時間にわたって衝突するために、エアガイダー部に結露が生じると徐々に生長して大きな氷に生長することもある。したがって、エアガイダーの材料としては撥水性を有する材料を選択することが好ましい。また表面部をフッ素樹脂加工等で撥水化させても同様な効果が得られる。
【００１４】
（実施例２）
図４は、本実施例を示す空気調和機の室外機ユニット正面図を、図５に側面図を、図６に上面からの構成図を示す。８が前面パネルであり、通気口を有さないフラットなパネルである。９はユニット本体であり、１０は前面パネルをユニット本体と連結する支持部であり、支持部１０は前面パネル８と溶接され、ユニット本体９とはビス止めされている。１１がエアガイダーであり、前面パネル８に接着固定され、略円錐形状を有している。１２は熱交換器であり、ユニット本体９内部の後面部にＵ字形状をして配設されている。１３は軸流ファンであり、熱交換器１２からの風を前面側へと送風する構成となっている。１４はベルマウスであり、円形状をした吸込み側を全周にわたって軸流ファン側へ膨らませるとともに前面上流側へ向かって次第に径に広がりを持つような構成となっている。その結果、軸流ファン１３からの空気はベルマウス１４を介して、前面パネル８に固定支持されたエアガイダー１１によって上下左右方向に吹き分けられ、最終前面パネル８とユニット本体９とで構成される空間部を通過してユニット本体９の上下左右方向へと熱交換された風を出すことになる。
【００１５】
実施例１，２では、前面パネルをユニット本体から約５ｃｍ離して配置したが、本発明では通風抵抗およびエクステリア性を勘案すると３〜７ｃｍ程度が好ましいと言える。
【００１６】
【発明の効果】
上記実施例から明らかなように、熱交換器を介して吸込んだ空気を軸流ファンで送風する際、室外機ユニット本体と所定の間隔を保持して配設された前面パネルに固定支持された略円錐形状のエアガイダーによって上下左右方向へと吹き分けでき、密集した住宅でも直接的に隣へと温風が吹出すことはない。また室外機の前面パネルをフラットパネルにすることでたとえば個別住宅と融合できるような色彩に変更することも可能となった。エアガイダーとして吸音特性を有する材料で構成することによって上下左右方向へと吹き分けする時の騒音レベルを低減することができた。
【図面の簡単な説明】
【図１】実施例１の空気調和機の室外機ユニットを示す正面図
【図２】実施例１の空気調和機の室外機ユニットを示す側面図
【図３】実施例１の空気調和機の室外機ユニットを示す上面構成図
【図４】実施例２の空気調和機の室外機ユニットを示す正面図
【図５】実施例２の空気調和機の室外機ユニットを示す側面図
【図６】実施例２の空気調和機の室外機ユニットを示す上面構成図
【図７】従来例の空気調和機の室外機ユニットを示す正面図
【図８】従来例の空気調和機の室外機ユニットを示す側面図
【図９】従来例の空気調和機の室外機ユニットを示す上面構成図
【符号の説明】
１  前面パネル
２  ユニット本体
４  エアガイダー
５  熱交換器
６  軸流ファン
７  ベルマウス
８  前面パネル
９  ユニット本体
１１  エアガイダー
１２  熱交換器
１３  軸流ファン
１４  ベルマウス
【図１】
2004278846.tif 000003
【図２】
2004278846.tif 000004
【図３】
2004278846.tif 000005
【図４】
2004278846.tif 000006
【図５】
2004278846.tif 000007
【図６】
2004278846.tif 000008
【図７】
2004278846.tif 000009
【図８】
2004278846.tif 000010
【図９】
2004278846.tif 000011